(57)【要約】【課題】少なくとも１つの“信号”接触ブレード（２２ａ）を備えた電気コネクタ（１０）を支持するプリント基板を有したアセンブリを提案している。【解決手段】本アセンブリは、コネクタが、少なくとも１つの金属保護プレート（４２，４４，５０）を有し、金属保護プレートは、信号ブレードの対面部に対向するように延び、接地回路の一部分を形成しているプリント基板の“接地”導電性トラックに電気的に接続されている。プレートは、ピボット運動絶縁サポートによって支持されている保護金属ケージの一部分を形成している。かくして、金属物体を用いて信号接触ブレードに到達しようとする侵入の試みにより、保護ケージと信号接触ブレードとの間に電気接触が生じて、試みられた侵入の信号表現である短絡回路を生じる。【選択図】      図８
2006080074.tif 000002
【特許請求の範囲】
【請求項１】
電気コネクタ（１０）を上面（８）で支持しているプリント基板（ＰＣＢ）を有しているタイプであり、複数の電気接触パッドを主面の１つに備えた電子メモリカードを接続するための接続アセンブリ（８，１０）であって、前記電気コネクタ（１０）は、絶縁材料で形成され１つの平坦な水平な上面（２０）を有している接触支持用のブロック（１４）と、長手方向の水平方向に平行に配置され弾性的に変形可能な導電体の複数の接触ブレード（２２，２２ａ）とを有し、各接触ブレード（２２，２２ａ）は、
前記絶縁性のブロック（１４）の水平な上面（２０）から突出可能で、カードの対応するパッドと接触するための湾曲した第１の端部と、
前記絶縁性のブロック（１４）にブレードを接続するための細長い中央部（３０，３０ａ）と、
プリント基板（ＰＣＢ）の前記上面（８）の導電性トラックにブレード（２２，２２ａ）を電気的に接続するためのパッド（３４，３４ａ）を構成している、前記ブレード接続用の第２の端部とを有し、また、
前記コネクタは、少なくとも１つの“信号”ブレード（２２ａ）を有している接続アセンブリにおいて、
前記コネクタは、少なくとも１つの金属保護プレート（４２，４４，５０）を有し、前記金属保護プレートは、前記信号ブレード（２２ａ）の対面部に対向して延び、プリント基板（ＰＣＢ）の上面（８）で“接地”導電性トラック（Ｐ）に電気的に接続され、接地回路の一部分を形成していることを特徴とする接続アセンブリ。
【請求項２】
前記コネクタは、少なくとも１つの第１の金属保護プレート（４２）を有し、前記プレートは、信号ブレード（２２ａ）を接続するためのパッド（３４ａ）の一部分（３６ａ）に対向して垂直方向に延び、導電性接地トラック（Ｐ）に電気的に接続されていることを特徴とする請求項１の接続アセンブリ。
【請求項３】
前記金属保護プレート（４２）は、この金属保護プレートが保護する接続パッド（３４ａ）の長手方向（Ｌ）に直交する横方向の平面に位置していることを特徴とする前記全ての請求項のいずれか１の接続アセンブリ。
【請求項４】
第１の信号ブレード（２２ａ）の前記接続パッド（３４ａ）は、第１の保護プレート（４２）に平行な横向きの少なくとも１つの水平ブランチ（３６ａ）を有していることを特徴とする前記全ての請求項のいずれか１の接続アセンブリ。
【請求項５】
第１の信号ブレード（２２ａ）の前記接続パッド（３４ａ）は、少なくとも１つの下方水平ブランチ（３８ａ）を有し、この下方水平ブランチは、垂直ブランチ（３６ａ）の後方に延び、実質的に絶縁性のブロック（１４）の下面（２１）の平面に位置していることを特徴とする前記全ての請求項のいずれか１の接続アセンブリ。
【請求項６】
前記第１の保護プレート（４２）は、接続パッド（３４ａ）に対向して延びている下方の保護用延長部（５４）を有していることを特徴とする前記全ての請求項のいずれか１の接続アセンブリ。
【請求項７】
前記延長部は、長手方向後方に延びた導電性の舌部（５４）を構成しており、この舌部の自由端部（５６）が、導電性の接地トラック（Ｐ）と電気接触されていることを特徴とする前記全ての請求項のいずれか１の接続アセンブリ。
【請求項８】
前記コネクタ（１０）は、互いに平行で対向している２つの第２の保護プレート（４４）を有し、各保護プレートは、信号ブレード（２２ａ）の接続パッド（３４ａ）の一部分に対向して垂直方向に延び、保護プレートが保護する接続パッド（３４ａ）の長手方向（Ｌ）に平行な横方向の平面に位置し、２つの長手方向側面で接続パッドを保護するように接地トラック（Ｐ）に電気的に接続されていることを特徴とする前記全ての請求項のいずれか１の接続アセンブリ。
【請求項９】
前記コネクタは、少なくとも１つの金属保護プレート（５０）を有し、この金属保護プレートは、信号ブレード（２２ａ）の一部分の上方にこれに対抗して水平方向に延びていることを特徴とする前記全ての請求項のいずれか１の接続アセンブリ。
【請求項１０】
前記水平な保護プレート（５０）は、信号ブレードの接続パッド（３４ａ）の下方水平ブランチ（３８ａ）に対向して延びていることを特徴とする請求項５ないし７のいずれか１と組み合わせられた、前記全ての請求項のいずれか１の接続アセンブリ。
【請求項１１】
各保護プレート（４２，４４，５０）は、保護金属ケージ（４０）に属していることを特徴とする前記全ての請求項のいずれか１の接続アセンブリ。
【請求項１２】
前記コネクタは、絶縁材料で形成されたサポート（６０）を有し、このサポートは、各保護プレートを支持し、絶縁性のブロック（１４）の相補的なハウジング（６４）内に取付けられていることを特徴とする前記全ての請求項のいずれか１の接続アセンブリ。
【請求項１３】
前記絶縁サポート（６０）は、絶縁性のブロック（１４）とプリント基板（ＰＣＢ）の上面（８）とに対して、図示されている最初の一時的な組立て位置と、信号ブレード（２２ａ）を保護する最終的な取付け位置との間で動くように設けられており、前記一時的な組立て位置では、前記信号ブレード（２２ａ）が保護されておらず、前記最終的な取付け位置では、各保護プレートは保護位置にあり、接地トラック（Ｐ）に接続されていることを特徴とする前記全ての請求項のいずれか１の接続アセンブリ。
【請求項１４】
前記絶縁サポートは、水平な横軸（Ｘ−Ｘ）の周りをピボット運動するように設けられていることを特徴とする前記全ての請求項のいずれか１の接続アセンブリ。
【請求項１５】
前記コネクタ（１０）は、最終的な取付け保護位置で絶縁サポート（６０）をロックするための手段（７７，８１）を有していることを特徴とする請求項１３または１４の接続アセンブリ。
【発明の詳細な説明】
【技術分野】
【０００１】
本発明は、複数の電気接触パッドを主面に備えた電子メモリカードを接続するための接続アセンブリと、導電体を上面で支持したプリント基板を有しているタイプの接続アセンブリとに関する。
【背景技術】
【０００２】
本コネクタは、例えば、メモリカードが長手方向の後方からカードの水平な平面に平行に挿入されるタイプの電気コネクタである。
【０００３】
様々の公知のデザインによれば、本コネクタは、主に、水平な上面と複数の導電体とを備えた絶縁材料で形成された接触支持ブロックを有している。導電体の各々は、弾性的に変形可能なブレードの形状を有している。
【０００４】
ブレードは、カードがその平面に水平方向に平行に挿入されるときに、カードの挿入方向に対応する長手方向かつ水平方向に対して平行に配置される。
【０００５】
公知のデザインによれば、各接触ブレードは、
絶縁ブロックの水平な上面から垂直方向上方に突出している、または、突出可能である、カードの水平方向下面に配置された対応するパッドと接触するための湾曲した第１の端部と、
例えばキャッチングバーブ（catching barbs）によって長手方向に挿入するか覆うようにモールド成形するかによって接続可能な、絶縁ブロックにブレードを接続するための細長い中央部と、
接続アセンブリのような読み書き装置の処理回路の一部分を形成しているプリント基板ＰＣＢの上面８の導電性トラックにブレードを電気的に接続するためのパッドを構成している、ブレード接続用の第２の端部とを有している。
【０００６】
このコネクタは、例えば、“接触着陸”タイプであり、かくして、接触ブレードの接触端部は、カードをコネクタ中に挿入する動きの端部でのみ、カードのパッドと接触するようになる。このタイプのコネクタは、文献ＷＯ−Ａ−９８／５２１３９号およびＵＳ−Ｂ１−６３４５８８１号（ITT Manufacturing Enterprises, Inc）に詳しく説明され示されている。
【０００７】
互いに平行な様々の接触ブレードのうち、幾つかのブレードから成る１つ以上のグループで（例えば対をなして長手方向に整列された４つのブレードからなるグループ２つ）、コネクタは、少なくとも１つの第１の“信号”接触ブレードを有している。
【０００８】
例えば、ブレードのうちで、信号接触ブレードがいわゆる“入出力”接触ブレードまたはＩ／Ｏブレードであり、カードの対応するパッドと接触されて、カードが所定位置にあるときにＩ／Ｏ信号を発生させることに留意されたい。
【０００９】
様々の接触ブレードのうちで、コネクタはまた、カードの対応するパッドと接触するように意図された少なくとも１つの第２の“接地”接触ブレードを有しており、プリント基板の上面で導電性の接地トラックに接続されている。
【００１０】
このようなコネクタが設けられた読み書き装置の侵入（fraud）に対する様々の試みには、特に、第１のＩ／Ｏ接触ブレードに到達するための工程が含まれている。
【００１１】
このような工程は、カードの侵入を侵すことを決定する工程である。
【００１２】
このために、侵入者は、例えば絶縁ブロック、並びに／もしくは、上面にコネクタが設けられたプリント基板に穴を開け得る。
【特許文献１】文献ＷＯ−Ａ−９８／５２１３９号
【特許文献２】ＵＳ−Ｂ１−６３４５８８１号
【発明の開示】
【発明が解決しようとする課題】
【００１３】
文献ＷＯ−Ａ−９８／５２１３９号およびＵＳ−Ｂ１−６３４５８８１号に説明され示されたようなタイプのコネクタの場合、接触ブレードの接続パッドは、非常に容易にアクセス可能であり、かくして、特に脆弱である。
【００１４】
本発明の目的は、このような侵入の試みを検出し防ぐ手段を設けることによって読み書き装置の全般的な安全性を向上させることである。
【課題を解決するための手段】
【００１５】
このために、本発明は、コネクタが少なくとも金属保護プレートを有していることを特徴とする上述したタイプの接続アセンブリを提案している。この金属保護プレートは、信号ブレードの対面部に対向するように延び、接地回路の一部分を形成しているプリント基板ＰＣＢの上面で“接地”導電性トラックに電気的に接続されている。
【００１６】
本発明の他の特徴に係われば、
コネクタは、第１の信号ブレードの接続用のパッドの一部分に対向して垂直に延びかつ導電性の接地トラックに電気的に接続される少なくとも１つの第１の金属保護プレートを有している。
【００１７】
第１の金属保護プレートは、このプレートが保護する接続パッドの長手方向に対して直交する横方向の平面に位置する。
【００１８】
第１の信号ブレードの接続パッドは、第１の保護プレートに平行な少なくとも１つの横向きの垂直ブランチを有している。
【００１９】
第１の信号ブレードの接続パッドは、少なくとも１つの下方水平ブランチを有し、この下方水平ブランチは、垂直ブランチの後方に延びかつ絶縁材料のブロックの下面の平面に実質的に位置している。
【００２０】
第１の保護プレートは、接続パッドに対向するように延びた下側保護延長部を有している。
【００２１】
前記延長部は、長手方向後方に延びた導電性の舌部を構成している。この舌部の自由端部は、導電性の接地トラックと電気接触されている。
【００２２】
コネクタは、互いに平行で対向している２つの第２の保護プレートを有しており、これら保護プレートの各々は、垂直方向に、信号ブレードの接続パッドの一部分に対向して延び、これらプレートが保護する接続パッドの長手方向に平行な横方向の平面に位置して、接続パッドを２つの長手方向側面で保護するように接地トラックに電気的に接続されている。
【００２３】
コネクタは、少なくとも１つの金属保護プレートを有し、この金属保護プレートは、信号ブレードの一部分の上方で水平にこれに対向するように延びている。
【００２４】
水平保護プレートは、信号ブレードの接続パッドの下側水平ブランチに対向するように延びている。
【００２５】
各保護プレートは、保護金属ケージに属している。
【００２６】
コネクタは、絶縁材料で形成され、各保護プレートを支持し、絶縁ブロックの相補的なハウジング内に取付けられているサポートを有している。
【００２７】
絶縁サポートは、絶縁ブロックとプリント基板の上面とに対して、最初の位置的な示された取付け位置と、信号ブレードを保護する最終的な取付け位置との間で動くようにされている。最初の位置では、信号ブレードは保護されていない。最終的な位置では、各保護プレートは、保護位置にあり、接地トラックに接続されている。
【００２８】
絶縁サポートは、水平な横軸の周りをピボット運動するように取付けられている。
【００２９】
コネクタは、絶縁サポートを最終的な取付け保護位置でロックする手段を有している。
【００３０】
本発明の他の特徴および利点は、添付図面を参照して理解され得る以下の詳細な説明を読むことで明らかになるだろう。
【発明を実施するための最良の形態】
【００３１】
以下の説明では、等しい、同様の、あるいは類似した構成部品が、同じ参照符号で示される。
【００３２】
発明の範囲を限定するのではなく、説明および図面を容易に理解できるようにするために、図中で示された基準座標系Ｌ，Ｖ，Ｔに従って、“垂直”、“水平”、“下方”、“上方”、“上”、“底”、“横方向”、“長手方向”などの用語が使用されている。
【００３３】
図１および図２は、絶縁プラスチックのボディまたはモールド成形されたケースから基本的に成るコネクタ１０を示している。
【００３４】
コネクタ１０の絶縁ボディ１２を備えているその一般的なデザインは、本明細書では、文献ＷＯ−Ａ−９８／５２１３９号およびＵＳ−Ｂ１−６３４５８８１号に説明され開示されているタイプのものである。
【００３５】
コネクタ１０は、プリント基板ＰＣＢの上方に配置された形で示されている。プリント基板は、その上面８に多くの導電性コンタクトを有しているが、それらコンタクトのうちの１つＰのみが説明される。このコンタクトＰは、本発明の文脈内の“接地”トラックであり、即ち、読み書き装置（図示されず）の接地回路の一部を形成しているトラックである。この読み書き装置に、接続アセンブリ（上面８とコネクタ１０）が属している。
【００３６】
ケース（絶縁ボディ）１２が、下方の水平プレート１４と上方の水平プレート１６とから基本的に成っている。これらプレートは、図１および図２に矢印“Ｌ”で示された方向に沿って後方から前方向へメモリカード（図示されず）を挿入するための長手方向のスロット１８を間に規定している。メモリカードは、下方のプレート１４の上方対面部２０に対向するような向きにされたその下面に、標準化された形で配置された導電性パッドを有している。
【００３７】
下方のプレート１４は、その中央部で横方向“Ｔ”に沿って、コネクタ１０の接触支持絶縁ブロックを構成している。この接触支持ブロックは、公知の方法で、２つのグループの４つの電気接触ブレード２２を支持している。
【００３８】
接触支持ブロックのブレードを備えた一般的なデザインは、例えば、上述した文献で詳しく説明され示されている。
【００３９】
本明細書では、全ての接触ブレードが等しい。
【００４０】
各接触ブレード２２は、一般的に、長手方向垂直平面に位置し、実質的に水平なブランチ２４を有している。このブランチ２４は、カードの対応するパッドと協働するように意図された“接触”端部と呼ばれる凸状に湾曲した第１の端部（図示されず）を有している。
【００４１】
自由接触端部は、上述された２つの文献に示されているようにカードが挿入する動きで端部にあるときに、絶縁ブロック１４の平坦な上面２０の水平な平面から垂直方向上方に突出可能である。
【００４２】
ブレード２２は、接触ブレード２２を接続するための細長い中央部３０を有しており、この接続部分により、ブレード２２は、絶縁ブロック１４内に確実に位置され取付けられ得る。
【００４３】
接続部分３０は、接続端部と呼ばれる第２の端部まで延びこの第２の端部で終端している。この第２の端部は、直角の接続タブ３４の形状である。このタブにより、ブレード２２が、プリント基板ＰＣＢの上面８に形成された対応する導電性のトラック（図示されず）に電気的に接続され得る。
【００４４】
本明細書では、接続タブは、絶縁ブロック１４の水平な下面２１とほぼ揃えられるように、中央接続部分３０の後端部から下方へと延びている垂直ブランチ３６を有している。
【００４５】
接続タブ３４はまた、この垂直ブランチ３６の下方の端部から後方に向かって水平方向にこの垂直ブランチ３６を延長し、下面２１の平坦な少し下方に位置している水平ブランチ３８を有している。
【００４６】
かくして、各々が水平ブランチ３８を備えた接続タブ３４は、本実施形態では、プリント基板ＰＣＢの上面８で対応する導電性のトラックにリフローではんだ付けされるタイプのものである（これらのトラックとＰＣＢとは図示されず）。
【００４７】
特に図３から分かるように、裂け目を防ぐための本発明に係わる手段が設けられていない場合は、接触ブレード、特にブレードの接続タブ３４に容易に到達できてしまう。
【００４８】
保護手段を有さない従来技術のコネクタを説明している上述の文献では、容易に侵入が試みられ得ることが述べられている。
【００４９】
本発明は、接触ブレード２２のうち少なくとも１つ、本実施形態ではＩＯブレードと呼ばれる信号（接触）ブレード２２ａを優先的に保護することを目的としている。この信号ブレードのデザインは、あらゆる点で、コネクタの７つの他のブレードに類似し、かくして、詳しく説明したデザインに類似している。
【００５０】
図と説明の残りの部分とに、本発明の教示に従って保護されているＩ／Ｏ接触ブレード（および全ての部品）が、他のブレードと同じ参照符号で示されているが、英字“ａ”が接尾に付けられている。
【００５１】
侵入しようとする試みに対して接触ブレード２２ａを保護することが好ましい場合は、基本的に、２つのブランチ３６ａ、３８ａを備えた接続タブ３４ａを保護するとよい。
【００５２】
本発明の教示に係われば、このような保護は、特に図２および図４に斜視で詳しく示されている保護金属ケージ４０によって果たされる。
【００５３】
この保護金属ケージ４０は、導電性の金属シートで形成され、切断され、折り畳まれている。
【００５４】
このケージは、主に、第１の垂直方向後方に延びた横方向保護プレート４２と、対向している２つの水平方向上側プレート５０とからなる。
【００５５】
コネクタ１０の絶縁ブロック１４内の保護ケージ４０の取付け位置では、図８から特に分かるように、横方向の第１の保護プレート４２が、水平プレート５０から垂直方向下方に、実質的に中央接続部分３０の水平な平面から、接続タブ３４ａの垂直ブランチ３６ａの高さよりも僅かに短い高さにわたって延びている。
【００５６】
プレート４２の横幅を考えると、これは、信号ブレード２２ａのみでなくこの信号ブレードに隣接する他のブレード２２にも対向して延びている。
【００５７】
図２および図３から分かるように、長手方向に向いた横方向垂直プレート４４は、実質的に正方形の外形を有し、実質的に接続タブ３４ａの高さ全体にわたって延びている。このプレート４４は、垂直ブランチ３６ａと水平ブランチ３８ａとの両方を、これらブランチの対向している長手方向側面に沿って横方向に保護する機能を有している。
【００５８】
ケージ４０の水平の金属保護プレート５０は、水平に、実質的に中央接続部分３０ａの平面に延び、接続タブ３４ａの水平ブランチ３８ａの上方に位置している（このプレートは、垂直方向上方にオフセットされている）。
【００５９】
水平プレート５０は、長手方向に、直角湾曲部３２ａの方向の前方に向かって延びている。垂直ブランチ３６ａは、接続部分３０ａと結合し、湾曲した前端部５１によって固定されている。この湾曲した前端部は、言うまでもなく、直角湾曲部３２ａと電気的に接触されることなく、直角湾曲部３２ａに極めて近づけられている。
【００６０】
前記保護プレート４２は、横方向プレート４４の各側面で横方向に延長されており、かくして、同じグループ（ここでは後方グループ）の一部分を形成している４つの接触ブレードの接続タブの垂直ブランチ全てに対向して延びている。
【００６１】
水平プレート５０は、２つの横方向プレート４４の間にのみ延びており、かくして、接続タブ３４ａを保護する。接触ブレード２２のこの接続タブ３４ａは、信号ブレード２２ａのすぐ隣に位置している。
【００６２】
各接続タブと一致し、更に詳細には接続タブ３４ａと一致して、保護プレート４２が、接続タブ３４ａの横幅と実質的に同じ横幅を有する傾斜された延長部５４によって垂直方向下方かつ長手方向後方に延長されている。この傾斜された延長部は、プリント基板ＰＣＢの上面８の方向に垂直方向下方に向けられかつ凸状に湾曲された端部５６で終端している。
【００６３】
基板ＰＣＢに設けられ半田付けされる前のコネクタ１０が示されている図８から分かるように、延長部５４は、その端部５６により、水平ブランチ３８、特にブランチ（接続タブ）３４ａが位置する平坦な下方で垂直方向下方に延びている。これにより、コネクタ１０が基板ＰＣＢに設けられているときに、端部５６が、弾性的に支持し、図１に示されているトラックＰのような導電性の接地トラックと接触される。
【００６４】
全ての延長部５４に共通した接地トラックＰが設けられてもよい。
【００６５】
特に図５ないし図７から分かるように、信号ブレード２２ａは、保護ケージ４０、特に保護プレート４２，４４，５０と延長部５４とによって全体的に囲まれている。
【００６６】
例えばドリルのような導電性の部材を用いて侵入しようとする試みは、特に様々の部品のディメンションにより、必然的に、保護ケージ４０と信号ブレード２２aとの間の電気接触を招く。
【００６７】
この電気接触により、信号ブレード２２ａと接地回路との間に接地短絡が確立される。
【００６８】
この短絡は、侵入の試みの信号表現（signal representative）として検出される。
【００６９】
実際の穿孔が行なわれていないときでも、保護プレートから接続プレート３４ａまでの距離の近さにより、フックアップワイヤを用いて何らかの侵入の試みがあるだけで、これらの構成部品の間で接触短絡が生じる。
【００７０】
これらの図では、保護ケージ４０が実際は、湾曲された端部５６を備えた４つの延長部５４を有していて、湾曲された端部５６の各々は、保護金属ケージ４０によって保護されている後方グループの４つのブレードに面する接触ブレードの接続タブ３４に対向して延びていることに留意されたい。
【００７１】
かくして、これ自体が接地トラックに接触している信号ブレードのブランチ３４ａに面するように配置されているのが、保護プレート４２の延長部５４である必要はない。ケージが絶縁材料で形成されている単一の構成部品として製造されていることから、延長部５４と端部５６とのいずれかによってこの接触がなされることも可能である。
【００７２】
本発明の他の特徴に係われば、絶縁プラスチックで形成されたモールド成形部品から成る絶縁サポートが、保護ケージ４０を絶縁し動作可能なように設けられている。
【００７３】
特に図２および図４から分かるように、サポート６０は、保護プレート４２が隣接していて実質的に矩形形状である水平プレート６２の一般的な形態と、水平プレート５０が最初に隣接する水平プレート６３の一般的な形態と、これらプレートが結合されている２つの横方向フランジ６５の一般的な形態とを取っている。各フランジは、外方に向けて横方向に延びている円筒形の関節ピボット６７を支持している。
【００７４】
絶縁サポート６０の形状およびディメンションは、保護ケージ４０を固定して収容するようなものであり、また、サポート自体がハウジング６４内に収容されるようなものである。ハウジング６４は、後方接触ブレードグループの接続タブ３４に対面する下側プレート１４に、特に、下側プレート１４と共にモールド成形された２つの下方に延びた垂直横方向の頬部７１の対面内面６９の間に設けられ得る。
【００７５】
各頬部７１の両側に、プレート１４は、２つの円筒形のハウジング７３を有している。各ハウジングは、ピボット部６７を収容するように設計されている。これらハウジングは、ピボット６７をハウジング７３中に取付ける、即ち、はめ込む（fitting-in）ことによってサポート６０を組立ておよび取付け可能なように垂直方向下方に部分的に開いている。
【００７６】
各横方向フランジ６５は、その外面７５にノッチ７７と傾斜面７９とを有しており、これらは、絶縁サポート６０をピボット運動させロックするのを容易にするように配置されている。
【００７７】
頬部７１の相補的な各内面６９は、隆起したロック用杭８１を有している。
【００７８】
特に図１および図７から分かるように、絶縁サポート６０は、その保護ケージ４０（スナップ留めによってサポート６０内に設けられている）により、保護機能を与えるための最終的な取付け位置に対して９０°までオフセットされた向きに、最初に一時的に設けられ、示されている。
【００７９】
図７に示されているこの最初の位置では、接続タブ３４と、特に接続タブ３４ａとは、保護されておらず、接続タブ３４ａの上方からアクセス可能である。これは、特に、プローブ（図示されず）または赤外線ビーム溶接作業を利用してコネクタの動作のチェックを行なう、あるいは、手動で再加工を行なうためである。
【００８０】
この最初の組立て位置では、特に図１および図７から分かるように、絶縁サポート６０は、カードのスロット１８中への挿入を阻む障害物を構成している。
【００８１】
コネクタ１０が、これを上面８で支持している下面２１を備えたプリント基板に取付けられると、絶縁サポート６０が、図８および図９に示されているような最終的な取付けおよびロック位置を占めるまで、ピボット軸Ｘ−Ｘを中心に図７に矢印Ｆで示された反時計方向に１回転の４分の１から９０°までピボット運動される。
【００８２】
このピボット運動の間、湾曲された端部５６は、延長部５４の弾性的な変形によって、特に少なくとも１つの接地導電性トラックＰによって、プリント基板ＰＣＢの上面８上で弾性的に支持する。
【００８３】
このピボット運動の間、傾斜面７９とノッチ７７とは、杭８１を超えてこれを通過する。また、これら傾斜面とノッチとは、図８および９に示されているように、取付け位置で、保護ケージ４０上で絶縁サポート６０を角度を付けて確実にロックする。
【００８４】
絶縁サポートが保護機能を果たす最終的な位置を占めるように、この絶縁サポート６０を意図的にピボット運動させるのを忘れた場合は、カードを挿入しようとする試みが、図７に示されている位置から始まり、最終的に、絶縁サポート６０によって形成された障害物に対面し、カードによって十分な力が与えられた場合は、障害物をピボット運動させる。
【００８５】
図８に示された取付け位置では、水平プレート６３の外側上面８３が水平面２０の平面の僅か下に位置しており、また、カードのスロット１８中への挿入を容易にするように助ける傾斜面８５によって長手方向後方に進められていることが分かる。
【００８６】
図１０ないし１３に示された他の実施形態が説明される。
【００８７】
この実施形態では、絶縁サポート６０とコネクタ１０の保護金属ケージ４０の構成部品とによって形成されたサブアセンブリの取付け（installment）が、上述した取付けと類似している。
【００８８】
保護ケージ４０の拡大斜視図である図１３から特に分かるように、まず第一に、ケージは、本実施形態では、絶縁サポート６０の相補的なハウジング中に全てはめ込まれる３つの別個の金属部材の形状に作られている。
【００８９】
言うまでもなく、ケージ４０が３つの部材で作られている場合、各部材は、延長部５４の端部５６を介して、アース、即ち、接地トラックＰに接続されなくてはならない。
【００９０】
図１３に示されている中央部材は、同時に、２つの接触ブレード２２を保護している。図１３に示されている２つの横方向部材の各々は、１つの接触ブレード２２を保護する。
【００９１】
この実施形態では、保護ケージ４０が横方向プレート４４を有していないことに留意されたい。
【００９２】
本発明の応用例は、上述された文献で説明された接触着陸タイプのコネクタに限定されるものではない。
【００９３】
同様に、４つのブレードのグループのうち１つと同じコネクタとの両方を保護することが可能である。
【００９４】
本発明は、リフローではんだ付けすることによって接続される接続タブに限定されるものではなく、プリント基板ＰＣＢの孔中に挿入されるタイプの接続タブにもまた応用され得るものである。
【００９５】
本発明は、上述された電気的な接触ブレードのデザイン、特に“片持ち梁”タイプの直線接触ブレードに限定されるものではなく、むしろ、ヘヤピン接触ブレードの保護にもまた応用され得るものである。
【図面の簡単な説明】
【００９６】
【図１】本発明の教示に係わる接続アセンブリの１つの実施形態の背面の４５°上方からの斜視図であり、このアセンブリは、分解斜視で示された電気コネクタと、最初の一時的な組立て位置で示されているコネクタを支持するプリント基板の一部分と、絶縁サポートを備えた保護ケージとを有している。
【図２】図１に示された最初の一時的な組立て位置に対応している向きにされた保護ケージとその絶縁サポートとを分解斜視で示している拡大詳細図である。
【図３】保護ケージも絶縁サポートも示されていない、図１のコネクタの斜視底面図である。
【図４】他の向きにされ、コネクタの対応する部分（図３に示されている）に関連している２つの構成部品を示している図２に類似した図である。
【図５】保護ケージとその絶縁サポートとが最終的な取付け保護位置にあるところを示している図１のコネクタの中央部の拡大詳細図である。
【図６】図５の詳細の類似した底面図である。
【図７】図１の長手方向垂直平面７−７の断面詳細図である。
【図８】保護ケージとその絶縁サポートとが最終的な取付け保護位置にあるのを示している図７に類似した図である。
【図９】図８の線９−９の断面図である。
【図１０】保護ケージとその絶縁サポートとの他の実施形態を示している前の所定の図に類似した図である。
【図１１】保護ケージとその絶縁サポートとの他の実施形態を示している前の所定の図に類似した図である。
【図１２】保護ケージとその絶縁サポートとの他の実施形態を示している前の所定の図に類似した図である。
【図１３】保護ケージとその絶縁サポートとの他の実施形態を示している前の所定の図に類似した図である。
【符号の説明】
【００９７】
８・・・上面、１０・・・電気コネクタ、１４・・・ブロック、２２，２２ａ・・・ブレード、３０・・・中央部、３４，３４ａ・・・パッド、４２，４４，５０・・・金属保護プレート。
【図１】
2006080074.tif 000003
【図２】
2006080074.tif 000004
【図３】
2006080074.tif 000005
【図４】
2006080074.tif 000006
【図５】
2006080074.tif 000007
【図６】
2006080074.tif 000008
【図７】
2006080074.tif 000009
【図８】
2006080074.tif 000010
【図９】
2006080074.tif 000011
【図１０】
2006080074.tif 000012
【図１１】
2006080074.tif 000013
【図１２】
2006080074.tif 000014
【図１３】
2006080074.tif 000015